(57)【要約】  締結具と共に用いられる工具が提供される。他の局面は、太陽光発電締結具と共に用いられる撤去具（１５０，１７０）を用いる。一局面では、太陽光発電フレームアタッチメント装置は、周辺フレーム（２６）、支柱またはレール（１２）、スナップ留めクリップまたは締結具（１６）を含む太陽光発電モジュールを含む。他の局面では、一体成型締結具（１６）は、支柱（１２）の開口部に結合可能な少なくとも１つの可撓性の羽部（５２）、本体（５０）の頂上壁（５６）から中央方式で内側に突き出る可撓性舌部（８０）、太陽光発電パネルフレームの一部を受け取るように適合されたスロット（６８）を含む。さらなる局面では、工具（１５０）は、締結具の中央舌部を太陽光発電フレーム（２６）から分離するように回転される。さらに別の局面は、支柱（１２）からの締結具（１６）の撤去を可能にするために指部および／または羽部（５２）を圧縮するために用いる。
2015528865.tif 000002
【特許請求の範囲】
【請求項１】
（ａ）太陽光発電フレームと、
（ｂ）太陽光発電フレームの一部が配置される開口部と、上記太陽光発電フレームを上記締結具に固定する可撓性の舌部とを備えている締結具と、
（ｃ）上記舌部を上記フレームからこじり外して上記フレームがそれから上記締結具から撤去されるように、上記舌部の一部と上記太陽光発電フレームとの間に着脱可能に配置される部分を有する工具とを備えている太陽光発電締結具撤去器具。
【請求項２】
上記締結具は、さらに、中央谷によって離れた２つの実質的に尖った形成部を含む上記舌部の端部を備えており、上記形成部は係合時に上記フレームを引っ掻き、上記工具はこじり外しの間上記形成部の間に挿入される請求項１に記載の器具。
【請求項３】
上記締結具は、離れた２つの側部壁の間に亘る頂上壁をさらに備えており、上記舌部は、上記頂上壁から上記側部壁の間において斜めに下向きに突き出しており、上記工具は上記舌部をこじり外すために上記側部壁の間に挿入される請求項１に記載の器具。
【請求項４】
上記締結具は、上記開口部にスナップ留められる可撓性の羽部をさらに備えており、
開口部を有する延長構造の支柱と、
上記羽部を内部的に圧縮しかつ上記支柱から上記締結具を撤去することを可能にするために、上記羽部に結合された部材を結合する低部撤去工具とをさらに備えており、
上記支柱から上記締結具を撤去する前に、上記部材が上記支柱の外部から接することが可能である請求項１に記載の器具。
【請求項５】
上記舌部は、すべての外部の端部から全体的に内側に離れており、上記工具は、延長されたシャフトおよび拡大されたハンドルを有する請求項１に記載の器具。
【請求項６】
上記太陽光発電フレームに搭載されるガラス太陽光発電パネルと、
上記締結具が締結される延長構造支柱とをさらに備えており、
上記パネルおよび上記フレームは、上記締結具が上記支柱に締結されるときに上記締結具の少なくとも大部分を隠す請求項１に記載の器具。
【請求項７】
上記工具はマイナスねじ回しである請求項１に記載の器具。
【請求項８】
中心線工具軸上の上記工具の回転によって、上記舌部が上記フレームから分離される請求項１に記載の器具。
【請求項９】
上記工具部の上／下レバー操作によって上記フレームから上記舌部が分離される請求項１に記載の器具。
【請求項１０】
上記締結具の全体が一枚の金属製シートから曲げられており、可撓性のスナップ留め羽部を含む請求項１に記載の器具。
【請求項１１】
上記工具が上記舌部に接触するとき、上記工具部材は、上記フレーム部分に実質的に平行な横方向において上記締結具の開口末端に挿入され、上記工具は、延長されたシャフトを含み、上記工具部材は実質的に平坦である請求項１に記載の器具。
【請求項１２】
（ａ）開口部を有する延長構造支柱と、
（ｂ）上記支柱の上記開口部にスナップ留られて上記締結具を上記支柱に固定する可撓性の羽部を含む、太陽光発電フレームを受け取る締結具と、
（ｃ）ハンドルが動く際に互いに近づいたり離れたりする複数の顎部材を含む工具とを備えており、
（ｄ）上記ハンドルは、上記顎部が上記羽部を内側に圧縮する一方、上記締結具を損傷なく上記支柱から撤去することができるように、上記支柱の背後、上記支柱開口部の反対側に配置される太陽光発電締結具撤去器具。
【請求項１３】
上記締結具は、第２の可撓性の羽部をさらに備えており、
上記羽部および上記第２の羽部は、上記支柱にスナップ留められるときに互いに離されており、上記顎部は、撤去の間、上記羽部および上記第２の羽部の双方が互いの方に向かうように、上記羽部および上記第２の羽部の双方を押す請求項１２に記載の器具。
【請求項１４】
上記工具の上記顎部の中央部は、閉じた位置の場合、少なくとも３インチ互いに離れている請求項１２に記載の器具。
【請求項１５】
上記締結具は、上記締結具が上記支柱に取り付けられるときに上記支柱の外側表面から盛り上がった上記羽部から延伸する指部をさらに備えており、上記指部は、上記羽部よりも小さい横方向の大きさを有しており、上記工具の上記顎部のうちの１つは、上記締結具を上記支柱から撤去することができるように、上記指部を直接的に圧縮する請求項１２に記載の器具。
【請求項１６】
上記工具の上記ハンドルは、少なくとも２つのハンドルを動かすことによって上記顎部を開きかつ閉じるための少なくとも１つのピボットによって互いに結合された上記少なくとも２つのハンドルを含む請求項１２に記載の器具。
【請求項１７】
上記工具の上記ハンドルは、主ハンドル、アジャスタ、ロック、および解放ハンドルを含む請求項１２に記載の器具。
【請求項１８】
上記工具の各顎部は、名目上の顎部の厚さの４分の１よりも小さい厚さの実質的に平坦な先端部を含み、上記工具の上記先端部は、上記顎部における最も薄い部分であり、上記工具の上記先端部は、閉じる位置のときに互いに内側に向き合い、上記工具の上記先端部は、撤去時に上記締結具に直接接触する請求項１２に記載の器具。
【請求項１９】
上記締結具の全体が一枚の金属製シートから曲げられている請求項１２に記載の器具。
【請求項２０】
ガラス太陽光発電パネルと、
上記パネルに取り付けられているフレームとをさらに備えており、
上記フレームは、上記締結具の延長スロット内に着脱可能に結合しており、
上記パネルおよび上記フレームは、上記締結具が上記支柱に固定されるときに上記締結具の少なくとも大部分を隠しており、
上記工具は、撤去の間上記締結具の上記羽部を圧縮するときに、上記支柱の断面の大部分を取り巻いている請求項１２に記載の器具。
【請求項２１】
上記支柱は、建物の上に取り付けられている請求項１２に記載の器具。
【請求項２２】
上記工具は、上記の構成要素を上記支柱の外側に完全に圧縮し、補助ハンドルが、締結具撤去中に上記締結具の構成要素から上記支柱の反対側にあり、カムロックは、締結具撤去中に締め付け位置において上記工具をロックすることを手助けする請求項１２に記載の器具。
【請求項２３】
（ａ）開口部を有する延長された支柱と、
（ｂ）上記支柱の上記開口部にスナップ留られて上記締結具を上記支柱に固定する可撓性の羽部を含む、太陽光発電フレームを受け取る締結具と、
（ｃ）互いに近づいたり離れたりする複数の顎部材を含む工具とを備えており、
（ｄ）上記締結具は、上記締結具が上記支柱に取り付けられるときに上記羽部から上記支柱の外側表面に延伸する指部をさらに備えており、上記工具の上記顎部のうちの１つは、上記締結具を上記支柱から撤去することができるように、上記指部を上記支柱の外側に直接的に圧縮する太陽光発電締結具撤去器具。
【請求項２４】
上記締結具は、第２の可撓性の羽部をさらに備えており、
上記羽部および上記第２の羽部は、上記支柱にスナップ留られるときに互いに離されており、上記顎部は、撤去の間、上記羽部および上記第２の羽部の双方が互いの方に向かうように、上記羽部および上記第２の羽部の双方を押す請求項２３に記載の器具。
【請求項２５】
締結具撤去中に上記支柱の部分を実質的に取り囲むように、上記工具の上記顎部の中央部は閉じた位置の場合少なくとも３インチ互いに離れている請求項２３に記載の器具。
【請求項２６】
上記工具は、複数のハンドルを動かすことによって上記顎部を開きかつ閉じるための少なくとも１つのピボットによって互いに結合された上記複数のハンドルをさらに備えている請求項２３に記載の器具。
【請求項２７】
上記工具の各上記顎部は、先端部を含む末端に隣接する段と共に実質的にＣ字形状を有し、上記工具の各先端部は、実質的に平坦でありかつ薄く、上記工具の各先端部は、上記締結具の中央線に対して上記羽部を押すように、上記締結具の対応する上記指部に接触する請求項２３に記載の器具。
【請求項２８】
ガラス太陽光発電パネルと、
上記パネルに取り付けられているフレームとをさらに備えており、
上記フレームは、上記締結具の延長スロット内に着脱可能に結合しており、
上記パネルおよび上記フレームは、上記締結具が上記支柱に固定されるときに上記締結具の少なくとも大部分を隠しており、上記工具の上記ハンドルは、締結具撤去中に上記締結具の上記指部から上記支柱の反対側に配置される請求項２３n記載する器具。
【請求項２９】
上記工具は、締結具撤去中に上記顎部を締め付け位置に固定するためのロックをさらに備えている請求項２３に記載の器具。
【請求項３０】
手動で動かすことができるハンドルと、
中央部がすべての顎部移動位置において少なくとも３インチ互いに離れており、回転可能に同時に結合される顎部とを備えており、
上記顎部の締結具係合可能な末端先端部は互いに向き合い、各先端部は、締め付け位置にあるときに、上記ハンドルの延長方向に対して実質的に垂直に延長される実質的に平坦な表面を規定し、
上記先端部は、対応する上記顎部の中央部分の４分の１よりも小さい縦方向の厚さ寸法をそれぞれ有する締結具撤去工具。
【請求項３１】
上記ハンドルは回転ハンドルである請求項３０に記載の器具。
【請求項３２】
上記ハンドルは、締結具撤去中に上記顎部を締め付け位置に固定するための固定ハンドルである請求項３０に記載する器具。
【請求項３３】
上記顎部は、上記締め付け位置にあるときに少なくとも３インチ離れている上記顎部の中央領域と共に、開口中心の周囲における実質的に閉じた形状を規定する請求項３０に記載の器具。
【請求項３４】
上記末端先端部によって、延長構造の支柱から締結具を撤去させることが可能な、太陽光発電フレーム締結具のスナップ留め羽部の圧縮が起こる請求項３０に記載の器具。
【請求項３５】
（ａ）撤去工具の第１のハンドルを第２のハンドルに対して動かす工程と、
（ｂ）上記締結具が上記レールに取り付けられるときに上記レールから外的に延伸する太陽光発電締結具の突出部に撤去工具の端部を直接接触させる工程と、
（ｃ）上記締結具のスナップ留め部材を、上記（ｂ）の工程に応じて互いに向けて動かす工程と、
（ｄ）上記レールの延長方向に実質的に垂直な主に直線方式で上記レールの開口部から上記締結具を取り出す工程とを有する、太陽光発電締結具を構造的レールから撤去する方法。
【請求項３６】
上記レールの背面に隣接する上記工具の上記ハンドルを、太陽光発電フレームが上記締結具に取り付けられる箇所と実質的に反対側に動かす工程をさらに有する請求項３５に記載の方法。
【請求項３７】
可撓性の羽部である上記スナップ留め部材を内側に圧縮する間、上記レールの部分を上記工具によって実質的に取り囲む工程をさらに有する請求項３５に記載の方法。
【請求項３８】
太陽光発電フレームを上記締結具から取り外し、ねじが切られた如何なる締結具をも切り離すことなく、上記レールから上記締結具を取り外す工程をさらに有する請求項３５に記載の方法。
【請求項３９】
太陽光発電フレームを締結具から撤去する方法であって、
（ａ）工具を上記締結具に挿入する工程と、
（ｂ）上記工具の移動によって、上記締結具の舌部を、上記舌部に固定された上記太陽光発電フレームの部分から離す工程と、
（ｃ）上記（ｂ）の工程に応じて、上記締結具を上記フレームから撤去する工程とを有する方法。
【請求項４０】
上記締結具は、中央谷部によって離れた２つの実質的に尖った形成部を含む上記舌部の端部をさらに備えており、上記形成部は係合される際に上記形成部を引っ掻き、
上記舌部を離す前に、上記舌部の上記谷部と上記フレームの上記部分との間に上記工具の端部を配置させる工程をさらに有する請求項３９に記載の方法。
【請求項４１】
上記舌部は、上記締結具のすべての外部の端部から全体的に内側に離れており、
上記舌部を曲げる間、離れた上記締結具の側部壁の間に上記工具の部分を回転させる工程であって、上記舌部もまた上記側部壁の間にある工程をさらに有する請求項３９に記載の方法。
【請求項４２】
上記太陽光発電フレームに搭載されるガラス太陽光発電パネル、およびスナップ留め羽部の上部に直接ある上記締結具の延長スロットの外側に、上記フレームを直線的にスライドさせる工程と、
延長構造の支柱、および再生可能または再生不可能な方式で上記支柱から上記締結具を撤去する工程と、
上記締結具が上記支柱に固定されるときに、上記パネルおよび上記フレームによって上記締結具の大部分を隠す工程とをさらに有する請求項３９に記載の方法。
【請求項４３】
上記工具は、上記舌部を曲げる平坦な先端を有するスクリュードライバーである請求項３９に記載の方法。
【請求項４４】
中心線工具軸を中心とした上記工具の回転によって、上記フレームの上記部分から離れるように上記舌部を押す工程をさらに有する請求項３９に記載の方法。
【請求項４５】
上記工具の上／下レバー操作によって、上記フレームの上記部分から離れるように上記舌部を押す工程をさらに有する請求項３９に記載の方法。
【発明の詳細な説明】
【発明の詳細な説明】
【０００１】
背景とまとめ
本開示は一般に工具に関し、とりわけ太陽光発電締結具用の撤去工具および撤去方法に関する。
【０００２】
伝統的に、ソーラーパネルまたは太陽光発電パネルを保持する周辺搭載フレームは、ねじが切られた締結具および数個構成ブラケットの使用を通じて、建物の屋根上または地面上の補助構造に搭載される。伝統的な装置の例が、「標準的なシームパネルのための調整可能な搭載アセンブリ」と題され２０１０年７月２０日にＨａｄｄｏｃｋに発行された米国特許第７７５８０１１号と、「屋根上のパネル様構成のソーラーバッテリーモジュールアレイを備え付けるための搭載システム」と題された２０００年８月２２日にＴｏｍｉｕｃｈｉらに発行された米国特許第６１０５３１７号とに開示されている。これらの特許は本明細書に参照として組み込まれる。しかしながら、これらの装置には多くの緩い部分があり、風のある屋根の上部などの現場に備え付けるには時間を消費しかつ複雑であるので、顕著な人手の出費と努力が必要になる。
【０００３】
他のソーラーパネルモジュール締結具が、Ｋｌａｕｓ  Ｈｕｌｌｍａｎｎらによるドイツ公開特許公報第１０２０１００２２５５６号に開示されている。ソーラーパネルの上から使用可能であり、かつ、レール開口部に挿入される末端を有する締結具撤去工具もまた、開示されている。この締結具および工具は業界において注目に値する前進ではあるが、より一層の改善が望ましい。
【０００４】
本発明に関して、締結具と共に用いられる工具が提供される。他の局面は、太陽光発電締結具と共に用いられる撤去具を用いる。一局面では、太陽光発電フレームアタッチメント装置は、周辺フレーム、支柱またはレール、およびスナップ留めクリップまたは締結具を含む太陽光発電モジュールを含む。他の局面では、一体成型締結具は、支柱の開口部に結合可能な少なくとも１つの可撓性の羽部、本体の頂上壁から中央方式で内部的に突き出る可撓性の舌部、太陽光発電パネルフレームの一部を受け取るように適合されたスロットを含む。さらなる局面では、工具は、締結具の中央舌部を太陽光発電フレームから分離するように回転される。さらに別の局面は、支柱からの締結具の撤去を可能にするために指部および／または羽部を圧縮するために用いる。さらには、支柱から太陽光発電フレーム締結具を撤去する方法および締結具から太陽光発電フレームを撤去する方法もまた提供される。
【０００５】
本発明の太陽光発電締結具撤去工具および方法は、伝統的な装置に比べて有利である。たとえば、本工具および方法は、高価ではなく、高速であり、かつ、必要な力が最小である。さらに本器具は、風のある建物の屋根または地上において取り扱うことが難しい多くの緩い部分を必要としない。さらに本工具および方法では、フレームおよび支柱を固定するスナップ留め羽部を有利に隠す、システムのための部分撤去を容易に可能とするので、盗難および破壊を困難にする。上部工具では、締結具構築および方法によって、締結具撤去に標準工具を用いることが可能になる。下部工具では、太陽光発電モジュールが依然として取り付けられているときでさえも、見えない状態で工具を支柱に挿入する必要無しで、支柱の外部から容易に締結具に達することができる。一実施形態では、下部工具の固定特性によって、締結具撤去中にサービス担当者の両手が自由になる。本発明のその他の利点および特徴は、添付図面と共に以下の説明および追記の請求項によって明らかになる。
【０００６】
図面の簡単な説明
図１は、建物の屋根に搭載される太陽光発電フレーム締結具アセンブリを示す透視図である。
【０００７】
図２は、地面に搭載される太陽光発電フレーム締結具アセンブリを示す透視図である。
【０００８】
図３は、太陽光発電フレーム締結具アセンブリの第１の好ましい実施形態を示す拡大透視図である。
【０００９】
図４は、第１実施形態太陽光発電フレーム締結具アセンブリを示す透視図である。
【００１０】
図５は、第１実施形態太陽光発電フレーム締結具アセンブリの図４の反対側を示す透視図である。
【００１１】
図６は、支柱無しの第１実施形態太陽光発電フレーム締結具アセンブリを示す、図５に似た透視図である。
【００１２】
図７は、上部撤去工具と共に第１実施形態太陽光発電フレーム締結具アセンブリを示す、図６に似た透視図である。
【００１３】
図８は、上部撤去工具と共に第１実施形態太陽光発電フレーム締結具アセンブリを示す上面図である。
【００１４】
図９は、太陽光発電フレーム締結具アセンブリに用いられる下部撤去工具の一実施形態を示す側面図である。
【００１５】
図１０は、太陽光発電フレーム締結具アセンブリに用いられる下部撤去工具の第２実施形態を示す上面図である。
【００１６】
図１１は、図１０の下部撤去工具を示す側面図である。
【００１７】
図１２は、第１実施形態締結具を係合する下部撤去工具を示す上面図である。
【００１８】
図１３は、第１実施形態締結具を係合する下部撤去工具を示す側面図である。
【００１９】
図１４は、最初に太陽光発電フレーム締結具の第２実施形態に接触する下部撤去工具を示す端面図である。
【００２０】
図１５は、第１実施形態締結具の羽部を内側に圧縮する下部撤去工具を示す、図１４に似た端面図である。
【００２１】
図１６は、第２実施形態太陽光発電フレーム締結具アセンブリを示す側面図である。
【００２２】
図１７は、第２実施形態太陽光発電フレーム締結具アセンブリを示す端面図である。
【００２３】
図１８は、第２実施形態太陽光発電フレーム締結具アセンブリを示す透視図である。
【００２４】
図１９は、第２実施形態太陽光発電フレーム締結具アセンブリを示す、図１８の反対側の端面図である。
【００２５】
図２０は、第２実施形態太陽光発電フレーム締結具アセンブリを示す上面図である。
【００２６】
図２１は、第２実施形態太陽光発電フレーム締結具を示す端面図である。
【００２７】
図２２は、第２実施形態太陽光発電フレーム締結具を示す側面図である。
【００２８】
図２３は、第２実施形態太陽光発電フレーム締結具を示す、図２２の線２３−線２３に沿った交差断面図である。
【００２９】
図２４は、第２実施形態太陽光発電フレーム締結具を作製するために用いられる平らな抜板を示す上面図である。
【００３０】
図２５は、第２実施形態太陽光発電フレーム締結具アセンブリと共に用いられる上部撤去工具および下部撤去工具を示す上面図である。
【００３１】
図２６は、第３実施形態太陽光発電フレーム締結具アセンブリを示す透視図である。
【００３２】
図２７は、第３実施形態太陽光発電フレーム締結具を示す端面図である。
【００３３】
図２８は、第３実施形態太陽光発電フレーム締結具アセンブリと共に用いられる、上部撤去工具の第３実施形態を示す透視図である。
【００３４】
図２９は、完全に圧縮された状態の第３実施形態上部撤去工具および第３実施形態太陽光発電フレーム締結具アセンブリを示す端面図である。
【００３５】
図３０は、第３実施形態下部撤去工具および第１実施形態締結具を示す透視図である。
【００３６】
詳細な記述
図１〜３を参照して、太陽光発電フレーム締結具アセンブリ１０の第１実施形態は、延長されかつ堅いレールまたは支柱１２、ソーラーまたは太陽光発電パネルモジュール１４、および締結具１６を含む。一構成では、支柱１２は、地面または地表２０に取り付けられた縦方向の脚部１８に搭載される。他の構成では、支柱１２は、建物２２の側部または屋根上の屋根クランプまたは他の構造にボルト止めされる。各太陽光発電モジュール１４は、化学的に被覆されたガラス太陽光発電パネル２４およびそれに接着で取り付けられた周辺金属フレーム２６を含む。ガラス太陽光発電パネル２４および金属フレーム２６は、事前に組み立てられたユニットとして提供されるか、または、分離されたユニットとして現場に対して提供され得る。
【００３７】
図３〜５および８に最適に示すように、支柱１２は、底部壁３２によって結合される直立側部壁３０によって規定される、均一かつ一般的にＵ字形状の断面部を有する。反転壁３４は、各側部壁３０の頂上末端から延伸し、下向き端部３６に終わる。下向き端部３６によって、直立側部壁３０の折り返し領域が形成され、以下に詳述されるように、締結具１６の羽部用の取り付け点が形成される。延長された溝または開口部３８は、反転壁３４の間に規定される。建物アタッチメント、立位シーム屋根クランプから上向きに突出したボルト、または地面系サポートに対する支柱１２の固定を可能にするための追加の搭載穴４０が、底部壁３２に設けられる。支柱１２は、アルミニウムまたは鉄からプレスされるかまたは圧延される。
【００３８】
図３〜６を参照して、締結具１６は、本体５０、可撓性の羽部５２、および４つの堅いタブ５４を含む。本体５０は、頂上壁５６、離れた一対の側部壁５８、および先細の引き込み壁６０を含む。本体５０および羽部５２の壁は、それぞれの端部における中空開口部アクセスを可能にする周辺端部６２を規定する。さらに、引き込み壁６０は、末端に隣接して互いに交差しかつ重複する。少なくともいくつかのタブ５４の上である本体５０の上部領域に、配列または延長された一対の開口部またはスロット６８が配置される。各スロット６８は開放的にアクセス可能な端部を有しており、双方が、太陽光発電モジュール１４を締結具１６に固定するために各スロット６８に挿入される金属フレーム２６の平らな部分を受け止める。
【００３９】
可撓性の舌部８０は、締結具１６の頂上壁５６の内部から下側にかつ斜め向きに折り曲げられる。舌部８０の末端は、複数の、好ましくは２つの、くぼみまたは谷部８４によって隔てられた一般的には尖った形成部８２を含む。形成部８２は、締結具１６の頂上表面に穴をあけるか頂上表面を引っ掻くことによって、締結具１６のスロット６８内にフレーム２６を固定する。舌部８０の斜めかつ可撓性の性質によって、フレーム２６をスロット６８に装着するための労力を下げられるが、撤去するための力は顕著に大きく（少なくとも４倍に）なる。舌部８０は、頂上壁５６における中央穴８６に隣接するすべての周辺締結具端部６２の中央に配置される。
【００４０】
内側に曲がった指部９０は、各羽部５２の頂上部から内側に突き出る。指部９０は、隣接する羽部５２よりも小さな横幅（支柱１２の延長方向にある横幅）を有する。各羽部５２は、集合的な羽部５２の厚さ寸法を規定する、オフセット角度が付けられた段９２を頂点にさらに有する。逆棘または外側のかつ局部的な腕部９４は、支柱の下降した端部３６をより強固に結合するために、各段９２に隣接する横方向の端部に配置される。
【００４１】
本発明の太陽光発電フレーム締結具１００の他の実施形態を示す図１６〜２４を参照する。締結具１００は、前の実施形態締結具１６のように、頂上壁１０２、側部壁１０４、および先細の引き込み壁１０６を含む。さらに、フレーム受け取りスロット１０８は、各側部壁１０４内に配置され、可撓性かつ二又の舌部１１０が、前の実施形態のように、頂上壁１０２から下向きに折り曲げられる。少なくとも２つ、より好ましくは４つの堅いタブ１１２が、一般的には平行な方式で互いに外向きに、かつ、それぞれに対応する側部壁１０４から垂直に延伸する。前の実施形態のように、タブ１１２は、締結具の傾きを抑止し、また、装着中の支柱内への遠すぎる締結具の過剰挿入を防止するように、開口部に隣接する支柱１２の外側表面に隣接する。各タブ１１２は、タブの縦方向の堅さおよび剛性を増加させるために、幅寸法ｂよりも大きい縦方向ａを有する。
【００４２】
前の実施形態とは異なり、本締結具１００は、引き込み壁１０６に隣接するが縦方向にスロット１０８の直下にある側部壁１０４から外側に折り曲げられた一対の可撓性の羽部１２０を含む。この配置は、前の実施形態締結具の羽部５２に対するスロット６８の横方向のオフセット（図４を参照）のために締結具１００に与えられる望まないトルクを有利に低減する。加えて、本締結具１００はより簡素であり、羽部１２０は、取り付けられたソーラーパネルモジュールおよびフレーム２６によってより良く隠される。たとえば、この実施形態では、縦方向の寸法Ｌは、幅Ｗおよび総名目厚さＴよりも大きい。
【００４３】
指部１２６は、隣接する一対のタブ１１２の間に一般的にある各羽部１２０の上端部から中央に延伸する。各指部１２６は、各羽部の対応する段１２８の反対側に、外側に曲がった末端部を有する。さらには、単一の金属片としての締結具１００が打ち抜かれかつ曲げられるシート状金属抜板１３０の材料サイズを節約することを可能にするために、指部１２６は、隣接する羽部１２０に比べて小さい横方向の幅を有する。組立中に羽部が支柱の戻り端部にスナップ留め係合された後に、支柱１２からうっかり外れることを避けるための圧縮強度を与えるために、硬化リブまたはビーズ１３２もまた、各羽部１２０の一般的に平坦な外側に曲がった部分に沿って配置される。締結具１００は、支柱１２からの少なくとも１００ポンドの引っ張り強度に、壊れることなく耐える。
【００４４】
完全に備え付けられたとき、ソーラーパネルモジュールは各締結具１６および１００の大部分を隠す。この特徴は、羽部１２０と共に圧縮することが支柱１２から締結具１００を取り外すことを可能にすることを、何気ない観察者が視認し難くすることによって、ソーラーパネルモジュール１４の盗難を有利に低減する。締結具１６および１００は、好ましくは、４４〜５１ＲＣの最終強度および１．０ｍｍのシート厚さで、マグニ被覆されかつオーステンパ熱処理されたばね鋼のＳＡＥ１０５０−１０６５型から打ち抜かれ、しかしその代わりステンレス鋼から打ち抜かれ得る。
【００４５】
図７および８は、締結具１６または１００から太陽光発電フレーム２６を取り外すために用いられる上部撤去工具１５０を図示する。以下では締結具１６の例を参照するが、しかし、締結具のいずれに対して如何なる撤去工具をも用いることが可能であることは評価されるべきである。
【００４６】
上部撤去工具１５０は、拡大されたハンドル１５２、延長された堅いシャフト１５４、および平らな刃１５４を有するスクリュードライバーである。施工担当者またはサービス担当者は、最初にスクリュードライバー工具１５０を、側部壁の間かつガラスソーラーモジュールの下にある締結具１６の中空開口部に直線方向かつ横方向に挿入する。さらに詳細に後述するように、これは、空間に余裕があればアセンブリの下からなされるか、または、締結具が支柱から取り除かれた後になされ得る。刃１５４は、直線的かつ平行に、谷部８４（図６を参照）と、スロット６８内にあるフレーム２６の部分との間に挿入される。そのあと、施工担当者は、直線的に位置１５０’に押し下げるか、または、工具を中心線に沿って回転させることによって、工具１５０を回転させ、これにより、舌部８０を押し、かつ対応する点状形成部８２を上方にかつフレーム２６の隣接する部分から遠ざけるようにする梃子の力を与える。舌部８０はもはや撤去を抑止しないので、同時にまたはその後に、施工担当者は、スロット６８からフレーム２６を直線的に引っ張る。工具１５０に対するトーションはそれから終わり、そして工具は撤去される。望むのであれば締結具およびフレームを再利用できるように、好ましくは締結具またはフレームを過剰に湾曲させたり破壊したりすることなく、フレーム撤去中に舌部を同じように湾曲させられる限り、他のレバー型工具が用いられ得ることが評価されるべきである。
【００４７】
下部撤去工具１７０の第１実施形態を図９に示す。この工具は、互いに少なくとも３インチ離れて大きな中央の空洞１７４を形成する一対の一般的にはＣ字形状の顎部１７２を有する。中央に向かう顎部１７２の末端は、１つまたは複数のピボット１７６によって結合している。カム連結部１９８は、バイアスばね２００と同様にハンドルを中心的に結合する。調整スクリュー２０２は、カム連結部１９８の調整位置の設定のために、主ハンドル１９２内にねじ切り可能に受け取られる。加えて、開放ハンドル２０４は、工具１７０の締め付けおよび固定状態を開放するために、ハンドル１９４に中心的に結合される。ハンドルおよび固定機構は、２０１１年１１月１５日にＣｈｅｒｖｅｎａｋらに発行され「固定ペンチ」と題された、本明細書に参照として組み込まれる米国特許第８０５６４５１号に従って機能する。この工具実施形態は、さらに後述するように、締結具および支柱の下から用いられることができるか、または隣接する太陽光発電モジュール１４の上部および間から、締結具１６の横方向にオフセットされた羽部５２（図３）を結合することに良く適している。
【００４８】
下部撤去工具２２０の第２実施形態を図１０および１１に示す。この工具は、前の実施形態のように、一対の離れた顎部２２２ならびにハンドル２２４、２２６、および２２８を有する。固定、調整、および開放機構も、前述のものに類似する。しかし、先端部２３０は、各顎部の上部表面２３２から下向きに段になっており、これは前の実施形態とは逆である。いずれの実施形態でも下部工具１７０または２２０が締結具１００の撤去に用いることができるが、しかし、第２実施形態下部用語２２０についてのみを、以下では一例として議論する。
【００４９】
施工担当者またはサービス担当者は、まず、支柱１２の下から締結具１００（非制限的な例として）に近づく。担当者はそれから、先端部２３０が、支柱１２の上側表面上に接触可能な指部１２６に接触する（図１４および１６に最適に示す）ように、顎部２２２によって支柱１２の断面を本質的に取り囲む。次に、施工担当者は、カム連結部が工具を固定および完全な締め付け位置に押し出すように、ハンドル２２４および２２６を完全に強く握り、これによって、工具２２０の先端部２３０が、（調整スクリュー２４０によって調整されるように）完全に圧縮位置にある。この結果、羽部が上部開口部を通じて縦方向かつ直線的に支柱１２から自由になって引っ張られ、工具２２０によって結合された状態を維持するように、先端部２３０は、指部１２６および取り付けられた羽部１２０を互いにおよび締結具中心線に向けて内側に圧縮する。完全な撤去後、解放ハンドル２２８は、固定機構を解放しそれによって締結具１００から工具２２０を取り外すように、補助ハンドル２２６に向けて引っ張られる。
【００５０】
締結具撤去のために工具のいかなる部分も支柱に挿入される必要がないことは価値のあることである。さらには、下部撤去工具２２０の固定および解放特性は、工具締め付け位置が設置された後におけるハンズフリーの羽部圧縮に有利でもある：これは、これらの工具の多くが同じソーラーパネルモジュールに対して同時に複数の締結具を結合しかつ圧縮し、その後、施工担当者がそれから支柱から同時に複数のすべての締結具を撤去するためにこれらの腕の両方ともをフレームにおける持ち上げに用いることができるときに、特に有利である。さらには、下部撤去工具は、鉄から好ましくは鋳造または打ち抜かれるが、他の材料を用いることも可能である。
【００５１】
図２６〜２９を参照して、下部撤去工具２５０の第３実施形態は、スナップ留め太陽光発電フレーム接地クリップ２５２を撤去するために用いられることができる。接地クリップ２５２は、一対の離れたクランプ２５４および２５６、上部架橋部２５８、および搭載部２６０を含む。各クランプは一般的にＣ字形状を有し、これによって、開放的に接触可能な受け口をその間に形成する。さらには、組立時にフレーム２６の平らな横方向フランジ部分の挿入を容易にするために、引き込み壁２６２が、各クランプから離れるように上側かつ外側に角度を付けている。接地のために用いられる場合、一対の尖った逆棘２６４が、クランプ２５４および２５６の各上部分から内部に突き出る。各逆棘２６４は、陽極酸化処理されたフレーム２６を引っ掻くために、フレーム２６の隣接表面に切込みを入れかつ穴をあける。これによって、フレームの基本材料とクリップとの間に複数の十分な電気的接地経路が形成される。このことは、回転またはねじ切りアタッチメントを必要とすることなく、フレームのフランジに対するクリップのクランプの単純な直線的挿入によって達成されることができる。その代わりに、逆棘２６４が省かれる場合、同じ締結具クリップ２５２が非電気的設置方式で用いられ得る。
【００５２】
搭載部２６０は、側部壁２７０および可撓性の羽部２７２を含む。各羽部２７２は、内側に尖った末端部２７４に隣接して折り曲げ可能に取り付けられており、搭載時に支柱１２における開口部に直線的にスナップ留められる。指部２７６は、支柱から盛り上がった各羽部から上側に突き出する。さらには、オフセット段が、末端部よりも指部に近く配置される各羽部の縦方向の長さに沿って配置される。
【００５３】
この実施形態撤去工具２５０は、ピボット３０２において回転可能に結合された一対の一般的には円筒形かつ縦長のハンドル３００を有する。ヒンジ３０４は、各ハンドル３００を、対応する顎部３０６に結合する。直立指部２７６に接触しかつ拡大された支柱係合位置から内側に圧縮された位置２７６’に直立指部２７６を圧縮するために、平らかつ縦に薄い先端部３１０は顎部３０６の各末端から横方向に内部に突出し、その後、施工担当者は、支柱１２から締結具２５２を直線的に撤去することができる。顎部３０６は１０１８鉄から鋳造されるため、ねじり３１２が先端部３１０と顎部３０６との間に鋳造される。下部撤去工具２５０は、固定機能を有することなく、ハサミハンドルと顎部３０６を動かすための回転機構とを有する。
【００５４】
図３０に示すように、この第３実施形態下部撤去工具２５０は、フレーム２６を含む一対の搭載されたソーラーモジュール間の間隙内の頂上から底部への接触にも良く適している。先端部３１０はそれから、指部９０と、第１実施形態締結具１００における対応する羽部とに接しかつそれらを圧縮する。この手法は、屋根に搭載したアセンブリでは最も簡単である。
【００５５】
前述した実施形態の記述は、図示および記述の目的のために提供されている。開示を網羅したりまたは制限したりする意図はない。特定の実施形態の個々の要素および機能は、その特定の実施形態に一般的に限定されず、しかし、特別に示したり記述したりしていなくても、適応可能な場合、相互交換可能であり、選択された実施形態において利用されることが可能である。さらには、本器具は多くの異なる向きに反転したり位置したりすることが可能であることが想定されるので、用語「頂上」「底部」「上部」「下部」「側部」「末端」「上」「下」またはその他が用いられるとき、部分の回転が限定されることは意図されない。同じものもまた、多くの方法で変形され得る。そのような変形は開示から外れたものとみなされることはなく、すべてのそのような改変が本発明の範囲および精神内に含まれることが意図される。
【図面の簡単な説明】
【００５６】
【図１】建物の屋根に搭載される太陽光発電フレーム締結具アセンブリを示す透視図である。
【図２】地面に搭載される太陽光発電フレーム締結具アセンブリを示す透視図である。
【図３】太陽光発電フレーム締結具アセンブリの第１の好ましい実施形態を示す拡大透視図である。
【図４】第１実施形態太陽光発電フレーム締結具アセンブリを示す透視図である。
【図５】第１実施形態太陽光発電フレーム締結具アセンブリの図４の反対側を示す透視図である。
【図６】支柱無しの第１実施形態太陽光発電フレーム締結具アセンブリを示す、図５に似た透視図である。
【図７】上部撤去工具と共に第１実施形態太陽光発電フレーム締結具アセンブリを示す、図６に似た透視図である。
【図８】上部撤去工具と共に第１実施形態太陽光発電フレーム締結具アセンブリを示す上面図である。
【図９】太陽光発電フレーム締結具アセンブリに用いられる下部撤去工具の一実施形態を示す側面図である。
【図１０】太陽光発電フレーム締結具アセンブリに用いられる下部撤去工具の第２実施形態を示す上面図である。
【図１１】図１０の下部撤去工具を示す側面図である。
【図１２】第１実施形態締結具を係合する下部撤去工具を示す上面図である。
【図１３】第１実施形態締結具を係合する下部撤去工具を示す側面図である。
【図１４】最初に太陽光発電フレーム締結具の第２実施形態に接触する下部撤去工具を示す端面図である。
【図１５】第１実施形態締結具の羽部を内側に圧縮する下部撤去工具を示す、図１４に似た端面図である。
【図１６】第２実施形態太陽光発電フレーム締結具アセンブリを示す側面図である。
【図１７】第２実施形態太陽光発電フレーム締結具アセンブリを示す端面図である。
【図１８】第２実施形態太陽光発電フレーム締結具アセンブリを示す透視図である。
【図１９】第２実施形態太陽光発電フレーム締結具アセンブリを示す、図１８の反対側の端面図である。
【図２０】第２実施形態太陽光発電フレーム締結具アセンブリを示す上面図である。
【図２１】第２実施形態太陽光発電フレーム締結具を示す端面図である。
【図２２】第２実施形態太陽光発電フレーム締結具を示す側面図である。
【図２３】第２実施形態太陽光発電フレーム締結具を示す、図２２の線２３−線２３に沿った交差断面図である。
【図２４】第２実施形態太陽光発電フレーム締結具を作製するために用いられる平らな抜板を示す上面図である。
【図２５】第２実施形態太陽光発電フレーム締結具アセンブリと共に用いられる上部撤去工具および下部撤去工具を示す上面図である。
【図２６】第３実施形態太陽光発電フレーム締結具アセンブリを示す透視図である。
【図２７】第３実施形態太陽光発電フレーム締結具を示す端面図である。
【図２８】第３実施形態太陽光発電フレーム締結具アセンブリと共に用いられる、上部撤去工具の第３実施形態を示す透視図である。
【図２９】完全に圧縮された状態の第３実施形態上部撤去工具および第３実施形態太陽光発電フレーム締結具アセンブリを示す端面図である。
【図３０】第３実施形態下部撤去工具および第１実施形態締結具を示す透視図である。
【図１】
2015528865.tif 000003
【図２】
2015528865.tif 000004
【図３】
2015528865.tif 000005
【図４】
2015528865.tif 000006
【図５】
2015528865.tif 000007
【図６】
2015528865.tif 000008
【図７】
2015528865.tif 000009
【図８】
2015528865.tif 000010
【図９】
2015528865.tif 000011
【図１０】
2015528865.tif 000012
【図１１】
2015528865.tif 000013
【図１２】
2015528865.tif 000014
【図１３】
2015528865.tif 000015
【図１４】
2015528865.tif 000016
【図１５】
2015528865.tif 000017
【図１６】
2015528865.tif 000018
【図１７】
2015528865.tif 000019
【図１８】
2015528865.tif 000020
【図１９】
2015528865.tif 000021
【図２０】
2015528865.tif 000022
【図２１】
2015528865.tif 000023
【図２２】
2015528865.tif 000024
【図２３】
2015528865.tif 000025
【図２４】
2015528865.tif 000026
【図２５】
2015528865.tif 000027
【図２６】
2015528865.tif 000028
【図２７】
2015528865.tif 000029
【図２８】
2015528865.tif 000030
【図２９】
2015528865.tif 000031
【図３０】
2015528865.tif 000032
【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
（ａ）太陽光発電フレームと、
（ｂ）太陽光発電フレームの一部が配置される開口部と、上記太陽光発電フレームを上記締結具に固定する可撓性の舌部とを備えている締結具と、
（ｃ）上記舌部を上記フレームからこじり外して上記フレームがそれから上記締結具から撤去されるように、上記舌部の一部と上記太陽光発電フレームとの間に着脱可能に配置される部分を有する工具とを備えている太陽光発電締結具撤去器具。
【請求項２】
（ａ）開口部を有する延長構造支柱と、
（ｂ）上記支柱の上記開口部にスナップ留られて上記締結具を上記支柱に固定する可撓性の羽部を含む、太陽光発電フレームを受け取る締結具と、
（ｃ）ハンドルが動く際に互いに近づいたり離れたりする複数の顎部材を含む工具とを備えており、
（ｄ）上記ハンドルは、上記顎部が上記羽部を内側に圧縮する一方、上記締結具を損傷なく上記支柱から撤去することができるように、上記支柱の背後、上記支柱開口部の反対側に配置される太陽光発電締結具撤去器具。
【請求項３】
上記締結具は、第２の可撓性の羽部をさらに備えており、
上記羽部および上記第２の羽部は、上記支柱にスナップ留められるときに互いに離されており、上記顎部は、撤去の間、上記羽部および上記第２の羽部の双方が互いの方に向かうように、上記羽部および上記第２の羽部の双方を押す請求項２に記載の器具。
【請求項４】
上記工具の上記顎部の中央部は、閉じた位置の場合、少なくとも３インチ互いに離れている請求項２に記載の器具。
【請求項５】
上記締結具は、上記締結具が上記支柱に取り付けられるときに上記支柱の外側表面から盛り上がった上記羽部から延伸する指部をさらに備えており、上記指部は、上記羽部よりも小さい横方向の大きさを有しており、上記工具の上記顎部のうちの１つは、上記締結具を上記支柱から撤去することができるように、上記指部を直接的に圧縮する請求項２に記載の器具。
【請求項６】
上記工具の上記ハンドルは、少なくとも２つのハンドルを動かすことによって上記顎部を開きかつ閉じるための少なくとも１つのピボットによって互いに結合された上記少なくとも２つのハンドルを含む請求項２に記載の器具。
【請求項７】
上記工具の上記ハンドルは、主ハンドル、アジャスタ、ロック、および解放ハンドルを含む請求項２に記載の器具。
【請求項８】
上記工具の各顎部は、名目上の顎部の厚さの４分の１よりも小さい厚さの実質的に平坦な先端部を含み、上記工具の上記先端部は、上記顎部における最も薄い部分であり、上記工具の上記先端部は、閉じる位置のときに互いに内側に向き合い、上記工具の上記先端部は、撤去時に上記締結具に直接接触する請求項２に記載の器具。
【請求項９】
上記締結具の全体が一枚の金属製シートから曲げられている請求項２に記載の器具。
【請求項１０】
ガラス太陽光発電パネルと、
上記パネルに取り付けられているフレームとをさらに備えており、
上記フレームは、上記締結具の延長スロット内に着脱可能に結合しており、
上記パネルおよび上記フレームは、上記締結具が上記支柱に固定されるときに上記締結具の少なくとも大部分を隠しており、
上記工具は、撤去の間上記締結具の上記羽部を圧縮するときに、上記支柱の断面の大部分を取り巻いている請求項２に記載の器具。
【請求項１１】
上記支柱は、建物の上に取り付けられている請求項２に記載の器具。
【請求項１２】
上記工具は、上記の構成要素を上記支柱の外側に完全に圧縮し、補助ハンドルが、締結具撤去中に上記締結具の構成要素から上記支柱の反対側にあり、カムロックは、締結具撤去中に締め付け位置において上記工具をロックすることを手助けする請求項２に記載の器具。
【請求項１３】
（ａ）開口部を有する延長された支柱と、
（ｂ）上記支柱の上記開口部にスナップ留られて上記締結具を上記支柱に固定する可撓性の羽部を含む、太陽光発電フレームを受け取る締結具と、
（ｃ）互いに近づいたり離れたりする複数の顎部材を含む工具とを備えており、
（ｄ）上記締結具は、上記締結具が上記支柱に取り付けられるときに上記羽部から上記支柱の外側表面に延伸する指部をさらに備えており、上記工具の上記顎部のうちの１つは、上記締結具を上記支柱から撤去することができるように、上記指部を上記支柱の外側に直接的に圧縮する太陽光発電締結具撤去器具。
【請求項１４】
手動で動かすことができるハンドルと、
中央部がすべての顎部移動位置において少なくとも３インチ互いに離れており、回転可能に同時に結合される顎部とを備えており、
上記顎部の締結具係合可能な末端先端部は互いに向き合い、各先端部は、締め付け位置にあるときに、上記ハンドルの延長方向に対して実質的に垂直に延長される実質的に平坦な表面を規定し、
上記先端部は、対応する上記顎部の中央部分の４分の１よりも小さい縦方向の厚さ寸法をそれぞれ有する締結具撤去工具。
【請求項１５】
（ａ）撤去工具の第１のハンドルを第２のハンドルに対して動かす工程と、
（ｂ）上記締結具が上記レールに取り付けられるときに上記レールから外的に延伸する太陽光発電締結具の突出部に撤去工具の端部を直接接触させる工程と、
（ｃ）上記締結具のスナップ留め部材を、上記（ｂ）の工程に応じて互いに向けて動かす工程と、
（ｄ）上記レールの延長方向に実質的に垂直な主に直線方式で上記レールの開口部から上記締結具を取り出す工程とを有する、太陽光発電締結具を構造的レールから撤去する方法。
【請求項１６】
上記レールの背面に隣接する上記工具の上記ハンドルを、太陽光発電フレームが上記締結具に取り付けられる箇所と実質的に反対側に動かす工程をさらに有する請求項１５に記載の方法。
【請求項１７】
可撓性の羽部である上記スナップ留め部材を内側に圧縮する間、上記レールの部分を上記工具によって実質的に取り囲む工程をさらに有する請求項１５に記載の方法。
【請求項１８】
太陽光発電フレームを上記締結具から取り外し、ねじが切られた如何なる締結具をも切り離すことなく、上記レールから上記締結具を取り外す工程をさらに有する請求項１５に記載の方法。
【請求項１９】
太陽光発電フレームを締結具から撤去する方法であって、
（ａ）工具を上記締結具に挿入する工程と、
（ｂ）上記工具の移動によって、上記締結具の舌部を、上記舌部に固定された上記太陽光発電フレームの部分から離す工程と、
（ｃ）上記（ｂ）の工程に応じて、上記締結具を上記フレームから撤去する工程とを有する方法。
【国際調査報告】
2015528865.tif 000033
2015528865.tif 000034
2015528865.tif 000035